(57)【要約】【課題】光源が寿命時期に達したときに、その光源を新たな光源と自動的に交換してかご室内を継続して照明することができるエレベータのかご室照明装置を提供する。【解決手段】かご室１の天井板２に反転可能に設けられた反転部材７と、反転部材７の一方の面に取り付けられてかご室１の内部に臨む第１の光源１２ａ、及び他方の面に取り付けられてかご室１の外部に臨む第２の光源１２ｂと、第１の光源１２ａの寿命を検出する第１の寿命検出手段１３ａ、及び第２の光源１２ｂの寿命を検出する第２の寿命検出手段１３ｂと、第１の光源１２ａが点灯、第２の光源１２ｂが消灯し、その光源１２ａの光でかご室１内が照明されている状態のもとで、寿命検出手段１３ａにより光源１２ａの寿命が検出されたときに、反転部材７を反転させて第２の光源１２ｂをかご室１の内部に、第１の光源１２ａをかご室１の外部に位置させるとともに、第２の光源１２ｂを点灯させる。【選択図】    図５
2008303030.tif 000002
【特許請求の範囲】
【請求項１】
エレベータのかご室の天井部に反転可能に設けられた反転部材と、
前記反転部材の一方の面に取り付けられて前記かご室の内部に臨む第１の光源、及び他方の面に取り付けられて前記かご室の外部に臨む第２の光源と、
前記第１の光源の寿命を検出する第１の寿命検出手段、及び前記第２の光源の寿命を検出する第２の寿命検出手段と、
前記第１の光源が点灯し、前記第２の光源が消灯し、その点灯する第１の光源の光で前記かご室内が照明されている状態のもとで、前記第１の寿命検出手段により前記第１の光源の寿命が検出されたときに、前記反転部材を反転させて前記第２の光源をかご室の内部に、前記第１の光源をかご室の外部にそれぞれ位置させるとともに、前記第２の光源を点灯させる制御手段と、
を具備することを特徴とするエレベータのかご室照明装置。
【請求項２】
前記かご室の外部に臨む光源を手動操作で点灯させることが可能な点灯手段を備え、この点灯手段で前記光源を点灯させることによりかご室が昇降する昇降路内を明るく照らすことが可能なことを特徴とする請求項１に記載のエレベータのかご室照明装置。
【請求項３】
前記各光源を停電時に二次電池の電源を用いて点灯させることが可能な点灯手段を備え、停電の発生時に前記点灯手段で前記各光源を点灯させることを特徴とする請求項１に記載のエレベータのかご室照明装置。
【請求項４】
エレベータのかご室の天井部に設けられた複数の光源と、
前記各光源の寿命を検出する寿命検出手段と、
前記複数の光源のうちの少なくとも１つの光源が点灯して前記かご室内が照明されている状態のもとで、その光源の寿命が前記寿命検出手段により検出されたときに、他の残りの少なくとも１つの光源を点灯させる制御手段と、
を具備することを特徴とするエレベータのかご室照明装置。
【請求項５】
前記寿命検出手段は、光源の光度を検知し、その光度が所定の光度以下となったときにその光源が寿命に達したものと判定することを特徴とする請求項１乃至４に記載のエレベータのかご室照明装置。
【請求項６】
前記寿命検出手段は、エレベータの運行累積時間や光源の通電累積時間に基づいて光源の寿命を判定することを特徴とする請求項１乃至４に記載のエレベータのかご室照明装置。
【発明の詳細な説明】
【技術分野】
【０００１】
この発明は、エレベータのかご室内を照明するかご室照明装置に関する。
【背景技術】
【０００２】
エレベータのかご室には、その天井部に照明手段が設けられ、この照明手段の光源の点灯によりかご室内が照明される。そして、照明手段の光源が寿命時期に達したときには、例えば特開平７−１３７９６１号公報や特開平７−１６５３８２号公報に見られるように、その光源を新たな光源と交換することが行なわれる。
【０００３】
従来、光源の交換に当っては、光源が寿命時期に達して消灯したり消灯の直前の状態となったときに、エレベータの運行を停止し、保守員がかご室の内部やかご室の上部外側に乗り込んでその光源を新たな光源と交換するようにしている。
【特許文献１】特開平７−１３７９６１号公報
【特許文献２】特開平７−１６５３８２号公報
【発明の開示】
【発明が解決しようとする課題】
【０００４】
しかしながら、保守員による人手で光源を交換する手段では、その都度、エレベータの運行を停止し、保守員がかご室の内部や上部外側に乗り込んで作業しなければならず、大掛かりで手間のかかる作業となるばかりでなく、エレベータの運行を停止させる必要があるため、運行ロスが生じ、エレベータを利用する一般乗客に多大な迷惑をかけることになる。
【０００５】
この発明はこのような点に着目してなされたもので、その目的とするところは、光源が寿命時期に達したときに、その光源を新たな光源と自動的に交換してかご室内を照明することができるエレベータのかご室照明装置を提供することにある。
【課題を解決するための手段】
【０００６】
請求項１の発明は、エレベータのかご室の天井部に反転可能に設けられた反転部材と、
前記反転部材の一方の面に取り付けられて前記かご室の内部に臨む第１の光源、及び他方の面に取り付けられて前記かご室の外部に臨む第２の光源と、前記第１の光源の寿命を検出する第１の寿命検出手段、及び前記第２の光源の寿命を検出する第２の寿命検出手段と、前記第１の光源が点灯し、前記第２の光源が消灯し、その点灯する第１の光源の光で前記かご室内が照明されている状態のもとで、前記第１の寿命検出手段により前記第１の光源の寿命が検出されたときに、前記反転部材を反転させて前記第２の光源をかご室の内部に、前記第１の光源をかご室の外部にそれぞれ位置させるとともに、前記第２の光源を点灯させる制御手段とを具備することを特徴としている。
【０００７】
請求項２の発明は、前記かご室の外部に臨む光源を手動操作で点灯させることが可能な点灯手段を備え、この点灯手段で前記光源を点灯させることによりかご室が昇降する昇降路内を明るく照らすことが可能なことを特徴としている。
【０００８】
請求項３の発明は、前記各光源を停電時に二次電池の電源を用いて点灯させることが可能な点灯手段を備え、停電の発生時に前記点灯手段で前記各光源を点灯させることを特徴としている。
【０００９】
請求項４の発明は、エレベータのかご室の天井部に設けられた複数の光源と、前記各光源の寿命を検出する寿命検出手段と、前記複数の光源のうちの少なくとも１つの光源が点灯して前記かご室内が照明されている状態のもとで、その光源の寿命が前記寿命検出手段により検出されたときに、他の残りの少なくとも１つの光源を点灯させる制御手段とを具備することを特徴としている。
【００１０】
請求項５の発明は、前記寿命検出手段が、光源の光度を検知し、その光度が所定の光度以下となったときにその光源が寿命に達したものと判定することを特徴としている。
【００１１】
請求項６の発明は、前記寿命検出手段が、エレベータの運行累積時間や光源の通電累積時間に基づいて光源の寿命を判定することを特徴としている。
【発明の効果】
【００１２】
この発明によれば、光源が寿命時期に達したときに、その光源を新たな光源と自動的に交換してかご室内を継続して照明することができる。
【発明を実施するための最良の形態】
【００１３】
以下、この発明の実施の形態について図面を参照して説明する。
【００１４】
図１にはこの発明の第１の実施形態に係るエレベータかご室１における天井部の斜視図を、図２にはその天井部の照明装置を分解した状態の斜視図をそれぞれ示してある。かご室１の天井部には天井板２が設けられ、この天井板２の中央部に開口３が形成され、この開口３を囲むように天井板２の上に照明ケース４が取り付けられている。照明ケース４は四角形の枠状をなし、天井板２の上面からその上方に突出するように設けられている。
【００１５】
照明ケース４の上面の開口部には反射板を兼ねる反転部材７が設けられている。この反転部材７は、図２に示すように照明ケース４に対応する四角形の平板状をなし、その両端縁の中間部に支軸８が設けられ、これら支軸８が照明ケース４の相対向する側板４ａに貫挿され、これら支軸８を介して照明ケース４の上面の開口部に水平に支持されている。照明ケース４の側板４ａには前記一方の支軸８に連係する駆動源としてのモータ１０が取り付けられ、このモータ１０による駆動で反転部材７が支軸８を中心とするその軸回り方向に回動して上下面が反転するようになっている。
【００１６】
反転部材７の両面（上下面）にはそれぞれ光源としてのランプ１２ａ，１２ｂが対称的にかつ脱着可能に取り付けられている。また、反転部材７の両面の隅部にはそれぞれ前記ランプ１２ａ，１２ｂに対応して寿命検出装置１３ａ，１３ｂが取り付けられている。これら寿命検出装置１３ａ，１３ｂは、それぞれその対応するランプ１２ａ，１２ｂの点灯時の光度を検知し、その光度が所定（定格）の光度以下となったときに、そのランプ１２ａ，１２ｂが寿命時期に達したと判定して寿命検出信号を出力するようになっている。
【００１７】
図３にはランプ１２ａ，１２ｂの電源回路を示してあり、ランプ１２ａ，１２ｂは電源１５に対して並列に接続されている。そして、ランプ１２ａ，１２ｂに対する通電を切替える切替え手段１６としてランプ１２ａ，１２ｂの通電回路にスイッチング素子１６ａ，１６ｂが設けられている。
【００１８】
図４には照明装置を制御する制御回路を示してあり、この制御回路は制御手段としての制御部２０を備え、この制御部２０に前記寿命検出装置１３ａ，１３ｂ及び前記切替え手段１６が接続されているとともに駆動回路２１を介して前記モータ１０が接続されている。
【００１９】
図５（Ａ）、（Ｂ）には照明装置の動作状態を示してあり、図５（Ａ）においては、反転部材７の下側の面に取り付けられたランプ１２ａが照明ケース４を通してかご室１内に臨み、反転部材７の上側の面に取り付けられたランプ１２ｂが照明ケース４の外部に配置してかご室１の外部に臨む状態にある。そしてかご室１内に臨んだランプ１２ａが制御部２０による制御で通電されて点灯し、このランプ１２ａの光がかご室１内に照射され、この光でかご室１内が所定の明るさに照明され、この状態でエレベータが運行され、かご室１がエレベータ昇降路内で上下に昇降する。
【００２０】
このようなエレベータの運行の経過により、点灯中のランプ１２ａが寿命時期に達すると、それが寿命検出装置１３ａにより検出され、その検出信号が制御部２０に送られ、この検出信号に基づいて制御部２０による制御でモータ１０が駆動される。そしてモータ１０の駆動により図５（Ｂ）に示すように反転部材７が支軸８を中心に回動する。反転部材７の回動角度はほぼ１８０°で、この回動で反転部材７の上下面が反転し、この反転で下側のランプ１２ａが上側に、上側のランプ１２ｂが下側に入れ替る。そしてこの際、制御部２０により切替え手段１６が制御され、寿命時期のランプ１２ａへの通電が切れ、新たなランプ１２ｂが通電される。この通電の切替えにより新たなランプ１２ｂが点灯し、このランプ１２ｂの光でかご室１内が照明される。
【００２１】
このように使用中のランプ１２ａが寿命時期に達した際に、そのランプ１２ａが新たなランプ１２ｂと自動的に交換され、その交換されたランプ１２ｂの点灯でかご室１内が継続して所定の明るさに照明される。したがって、従来のように照明用のランプが寿命時期に達した際に、エレベータの運行を停止して保守員による人手でランプを交換をする場合と異なり、エレベータの運行を停止したり、保守員がかご室に乗り込むような大掛かりで手間のかかる作業を一切不要とすることができ、ランプ寿命に対する対応を無人で行なうことができる。そしてエレベータの運行を停止する必要がないから、エレベータを利用する一般乗客に迷惑をかけることがなく、サービス性を高めることができる。
【００２２】
寿命時期に達した使用済みの前記ランプ１２ａは、反転部材７の反転で下側から上側に移動してかご室１の外部に露出する。したがって、このランプ１２ａは例えばエレベータの定期的な保守点検作業時などに取り外して処分することできる。そしてその取り外した使用済みのランプ１２ａに替えて新品のランプ１２ａ´を反転部材７に取り付けることより、前記交換された新たなランプ１２ｂが寿命時期に達した際に、前述と同様の動作でそのランプ１２ｂと前記新品のランプ１２ａ´とを交換してかご室１内の照明に使用することができる。
【００２３】
図６及び図７には第２の実施形態を示してある。この第２の実施形態においては、ランプ１２ａ，１２ｂの支持構造は第１の実施形態の場合と同様の構造であるが、図７に示すように各ランプ１２ａ，１２ｂの通電を切替える切替え手段１６における各スイッチング素子１６ａ，１６ｂを制御部２０による制御とは別に手動で操作することが可能な操作部１７ａ，１７ｂを備えている。そしてこれら操作部１７ａ，１７ｂを介してスイッチング素子１６ａ，１６ｂをオン操作することにより、制御部２０による制御に関わらずランプ１２ａ，１２ｂを任意に通電して点灯させることができるようになっている。これら操作部１７ａ，１７ｂは、図６に示すように例えば照明ケース４における側板４ａの外面に配設されている。
【００２４】
この実施形態の場合、エレベータの例えば定期的な保守点検時において、保守員がエレベータ昇降路内に入り込み、かご室１の天井板２の上に乗って所定の保守点検作業を行なう際に、その天井板２の上に露出するランプ１２ｂに対応する操作部１７ｂを手動で操作し、スイッチング素子１６ｂをオンしてランプ１２ｂを点灯させることができる。すなわち、前記ランプ１２ｂを暗い昇降路内を照らす作業灯として利用することができる。
【００２５】
図８には第３の実施形態を示してあり、この実施形態においては、各ランプ１２ａ，１２ｂに電源による主電源系統とは別に二次電池による電源２０が接続されている。二次電池による電源２０は、制御部により制御される切替え手段２１を介してランプ１２ａ，１２ｂに接続され、かつその切替え手段２１には停電を検出する停電検出装置２２が接続されている。
【００２６】
この実施形態の場合には、エレベータの運行中に停電が発生すると、それが停電検出装置２２により検出され、その検出信号が制御部に送られ、この検出信号に基づいて制御部により切替え手段２１が切替制御され、ランプ１２ａ，１２ｂに二次電池による電源２０の電力が供給され、この電力でランプ１２ａ，１２ｂが点灯する。そして一方のランプ１２ａによりかご室１内が明るく照らされ、他方のランプ１２ｂにより昇降路内が照らされる。
【００２７】
したがって、停電が発生してもかご室１内の乗客に不安を与えることがなく、また停電の発生で昇降路内に保守員が入り込んで点検する際にその昇降路内を所定の明るさに保つことができる。
【００２８】
図９には第４の実施形態を示してあり、この実施形態においては、照明ケース４が天板４ｂを有する箱形状をなし、その天板４ｂの下面に複数、例えば３つのランプ１２ａ，１２ｂ，１２ｃが並列して取り付けられている。また、照明ケース４の内部には、各ランプ１２ａ，１２ｂ，１２ｃに対応してそれぞれそのランプ１２ａ，１２ｂ，１２ｃの寿命を検出する寿命検出装置２５ａ，２５ｂ，２５ｃが設けられている。
【００２９】
図１０にはランプ１２ａ，１２ｂ，１２ｃの電源回路を示してあり、ランプ１２ａ，１２ｂ，１２ｃは電源２６に対して並列に接続されている。そして、ランプ１２ａ，１２ｂ，１２ｃに対する通電を切替える切替え手段２８としてランプ１２ａ，１２ｂ，１２ｃの通電回路にスイッチング素子２８ａ，２８ｂ，２８ｃが設けられている。
【００３０】
図１１には照明装置を制御する制御回路を示してあり、この制御回路は制御手段としての制御部３０を備え、この制御部３０に前記寿命検出装置２５ａ，２５ｂ，２５ｃ及び前記切替え手段２８が接続されている。
【００３１】
この実施形態の場合には、複数のランプ１２ａ，１２ｂ，１２ｃのうちの例えば１つのランプ１２ａが点灯され、このランプ１２ａでかご室１内が照明され、この状態でエレベータが運行される。そしてエレベータの運行の経過に伴い前記ランプ１２ａが寿命時期に達すると、それが寿命検出装置２５ａにより検出され、その検出信号が制御部３０に送られ、この検出信号に基づいて制御部３０により切替え手段２８のスイッチング素子２８ａがオフし、スイッチング素子２８ｂがオンするように制御される。スイッチング素子２８ｂのオンによりランプ１２ｂが点灯し、このランプ１２ｂでかご室内が照明される。
【００３２】
さらにエレベータの運行の経過により前記ランプ１２ｂが寿命時期に達すると、それが寿命検出装置２５ｂにより検出され、その検出信号が制御部３０に送られ、この検出信号に基づいて制御部３０により切替え手段２８のスイッチング素子２８ｂがオフし、スイッチング素子２８ｃがオンするように制御され、スイッチング素子２８ｃがオンすることによりランプ１２ｃが点灯し、このランプ１２ｃでかご室内が照明される。
【００３３】
このようにこの実施形態においては、１つのランプが寿命時期に達するごとに通電が切替ってかご室１内を照明するランプが自動的に交換され、したがってランプが寿命時期に達した際に、保守員による人手に頼ることなくランプ寿命に対する対応を無人で行なうことができる。そしてエレベータの運行を停止する必要がないから、エレベータを利用する一般乗客に迷惑をかけることがなく、サービス性を高めることができる。
【００３４】
なお、寿命に達したランプは、エレベータの定期点検時などにかご室内において新たなランプと交換すればよく、これによりランプを順々に使用してランプ切れを招くことなくかご室内を照明することができる。
【００３５】
前記各実施形態では、光源の寿命を検出する手段として、光源の点灯時の光度を検知し、その光度が所定（定格）の光度以下となったときに、その光源が寿命時期に達したと判定して寿命を検出する装置を用いたが、これに限らず例えばエレベータの運行累積時間や光源の通電累積時間に基づいて光源の寿命を判定して寿命を検出する手段を用いることも可能である。
【００３６】
また、光源としては蛍光ランプや白熱ランプ、或いはＬＥＤなどを用いることが可能である。
【図面の簡単な説明】
【００３７】
【図１】この発明の第１の実施形態に係るエレベータのかご室照明装置の斜視図。
【図２】そのかご室照明装置を分解して示す斜視図。
【図３】そのかご室照明装置のランプの電源回路図。
【図４】そのかご室照明装置の制御回路のブロック図。
【図５】そのかご室照明装置の動作を説明するための斜視図。
【図６】この発明の第２の実施形態に係るエレベータのかご室照明装置の斜視図。
【図７】そのかご室照明装置のランプの電気回路図。
【図８】この発明の第３の実施形態に係るエレベータのかご室照明装置の電気回路図。
【図９】この発明の第４の実施形態に係るエレベータのかご室照明装置の斜視図。
【図１０】そのかご室照明装置のランプの電源回路図。
【図１１】そのかご室照明装置の制御回路のブロック図。
【符号の説明】
【００３８】
１…かご室
２…天井板
４…照明ケース
７…反転部材
８…支軸
１０…モータ
１２ａ．１２ｂ．１２ｃ…ランプ（光源）
１３ａ．１３ｂ．１３ｃ…寿命検出装置
２２…停電検出装置
２５ａ．２５ｂ．２５ｃ…寿命検出装置
【図１】
2008303030.tif 000003
【図２】
2008303030.tif 000004
【図３】
2008303030.tif 000005
【図４】
2008303030.tif 000006
【図５】
2008303030.tif 000007
【図６】
2008303030.tif 000008
【図７】
2008303030.tif 000009
【図８】
2008303030.tif 000010
【図９】
2008303030.tif 000011
【図１０】
2008303030.tif 000012
【図１１】
2008303030.tif 000013